(57)【要約】【課題】  より歩き易い健康になる履物を提供する。【解決手段】  本発明によって提供される履物Ａ１は、上面に足載せ面１１を有する足載せ部材１０と、足載せ部材１０の下面に前後方向に隣接するようにして設けられた複数の硬質の接地片２１、２２、２３、２４、２５、２６とを備えており、足載せ部材１０は、外力によって上に凹に湾曲変形可能である一方、各接地片２１、２２、２３、２４、２５、２６は、前後方向の側面と、下面の各接地面２１a、２２a、２３a、２４a、２５a、２６aとを備えるとともに、各接地片２１、２２、２３、２４、２５、２６における隣接する接地片の側面に対向する各側面には、相互に当接しうる当接面４０a、４０bが形成されており、各接地片２１、２２、２３、２４、２５、２６の各当接面４０a、４０bが相互に当接するとき、各接地片２１、２２、２３、２４、２５、２６の各接地面２１a、２２a、２３a、２４a、２５a、２６aが同一の略水平面内にあるように構成されている。【選択図】  図１
2008188190.tif 000002
【特許請求の範囲】
【請求項１】
上面に足載せ面を有する足載せ部材と、上記足載せ部材の下面に前後方向に隣接するようにして設けられた複数の硬質の接地片とを備えており、上記足載せ部材は、外力によって上に凹に湾曲変形可能である一方、上記各接地片は、前後方向の側面と、下面の各接地面とを備えているとともに、上記各接地片における隣接する接地片の側面に対向する各側面には、相互に当接しうる当接面が形成されており、上記各接地片の上記各当接面が相互に当接する時、上記各接地片の各接地面が同一の略水平面内にあるように構成されていることを特徴とする、履物。
【請求項２】
上記各接地片の側面に形成された当接地面は、これが形成される側面の少なくとも上下方向の一部の範囲に形成されている、請求項１に記載の履物。
【請求項３】
上記足載せ部材の上面は、畳状の表層材によって被覆されている。請求項１または２に記載の履物。
【請求項４】
上記足載せ面には、鼻緒が取り付けられている、請求項１ないし３のいずれかに記載の履物。
【発明の詳細な説明】
【技術分野】
【０００１】
本発明は、下駄、草履、スリッパ、サンダル等の簡易な履物に関し、特に、湾曲可能に形成されることでより歩き易くなるように工夫されたものに関する。
【背景技術】
【０００２】
このような湾曲可能な履物としては、特許文献１及び２に記載されているような履物が知られている。図６にこのような履物の概略側面図を示す。
【０００３】
図７に示す履物Ｘは、足載せ部材９１０と、足載せ部材９１０の下面に設けられた複数の硬質の接地片９２０と、足載せ部材９１０の上面に配置された鼻緒９３０とを備えている。足載せ部材９１０は、外力によって変形可能なように形成されている。複数の接地片９２０は、足載せ部材９１０の下面にそれぞれ所定の間隔を隔てて、前後方向に沿って並列に設けられている。足載せ部材９１０が湾曲可能であり、かつ、複数の接地片９２０が互いに一定の間隔を隔てて並んでいるので、履物Ｘは、外力によって上に凸にも、下に凹にも湾曲変形可能となっている。
【０００４】
上記構成の履物Ｘによれば、平坦な地面を歩行する時、足の踏み出し時においては、まず踵付近が最初に地面に接し、接地面が前方に拡大するようにして、次第に足裏全体が接地していき、次いで、地面を後方に蹴るときにおいては、踵付近が最初に地面から離れ、足裏の後方部から前方部にかけて、次第に地面から離れるという、素足で歩行した場合の足裏の変形と対応した足載せ面の変形を達成することが出来るため、歩行感覚が良くなり疲れも少ない。
【０００５】
しかしながら、この履物Ｘは、下に凹にも変形することが出来るので、この履物Ｘを履いた状態で、地面の小石などの突起物を踏んだ場合には、下に凹となるように大きく変形してしまう。この場合、足裏に違和感があり、足裏に力を入れてうまく地面を蹴ることが出来ないなど、歩行感覚が非常に悪くなってしまうし、履物が脱げ易くなるという欠点がある。また、鼻緒に大きな力が掛かり、これが切れてしまい易いという欠点もある。
【０００６】
【特許文献１】実開昭５９−１８９５０１号公報
【特許文献２】実開昭６１−２５３６１号公報
【発明の開示】
【発明が解決しようとする課題】
【０００７】
本発明は、上記した事情のもとで考え出されたものであって、より快適に歩行可能な履物を提供することを課題としている。
【課題を解決するための手段】
【０００８】
本発明によって提供される履物は、上面に足載せ面を有する足載せ部材と、上記足載せ部材の下面に前後方向に隣接するようにして設けられた複数の硬質の接地面とを備えており、上記足載せ部材は、外力によって上に凹に湾曲変形可能である一方、上記各接地片は、前後方向の側面と、下面の書く接地面とを備えているとともに、上記各接地片における隣接する接地片の側面に対向する各側面には、相互に当接しうる当接面が形成されており、上記各接地片の上記各当接面が相互に当接するとき、上記各接地片の各接地面が同一の略水平面内にあるように構成されていることを特徴とする。
【０００９】
このような構成によれば、上記の履物は、外力によって上に凹に湾曲変更可能であり、なおかつ、上記各接地片の各当接面が相互に当接するので、外力によって下に凹に湾曲変形不可能となっている。このため、この履物を履いて平坦な地面を歩く際に、素足で歩行した場合の足裏の変形と対応した上記足載せ面の変形を達成することができ、歩行感覚が良くなり疲れも少なくなる。さらに、この履物を履いて突起物を踏んでも、下に凹となるように変形しないので、足裏に違和感が生じにくく、歩行感覚が良好に保たれ、上記履物が脱げにくくなっている。したがって、この履物を履いて平坦ではない道を歩く際にも、快適に歩くことが出来る。
【００１０】
好ましい実施の形態においては、上記各接地片の側面に形成された当接面は、これが形成される側面の少なくとも上下方向の一部の範囲に形成されている。このような構成によれば、上記当接面は上記各接地片の側面の一部でよいので、上記各接地片の実施可能な形状の幅が広がり、例えば軽量化を実現する事が出来る。
【００１１】
好ましい実施の形態においては、上記足載せ部材の上面は、畳状の表層材によって被覆されている。このような構成によれば、上記足載せ部材の上面で足が滑りにくく、さらに、履き心地が良くなる。
【００１２】
好ましい実施の形態においては、上記足載せ面には、鼻緒が取り付けられている。このような構成によれば、足の親指と人差し指で上記鼻緒を挟むだけで履く事が出来、脱ぐのも容易である。また、この場合、この履物を履いて突起物を踏んでも、下に凹に湾曲することがないので、足裏に違和感がなく歩行感覚が優れることに加え、鼻緒に過大な張力が掛かることが無いので、鼻緒が切れてしまうといったことも無い。
【００１３】
本発明のその他の特徴及び利点は、添付図面を参照して以下に行う詳細な説明によって、より明らかになる。
【発明を実施するための最良の形態】
【００１４】
以下、本発明の好ましい実施の形態につき、図面を参照にして具体的に説明をする。
【００１５】
図１は、本発明に係る履物の第１の実施形態を示す斜視図である。図１に示す履物Ａ１は、足載せ部材１０、複数の接地片２１、２２、２３、２４、２５、２６、及び鼻緒３０で構成されている。なお、以下の説明において、図１における右方を履物Ａ１の前側とし、左方を履物Ａ１の後側とする。この履物Ａ１を履いて平坦な地面に真っ直ぐに立っている時の履物Ａ１の状態を図２に側面図で示しており、この履物Ａ１を履いて平坦な地面を歩行している状態を図３と図４に側面図で示している。図３には、踵から着地して足を踏み出し始める状態を示しており、図４には、爪先で地面を後方に蹴って踏み出す状態を示している。図２〜４においては、足及び地面を仮想線で示している。また、図５には、履物Ａ１を履いて階段を歩いている状態を側面図で示している。
【００１６】
足載せ部材１０は、その上面に足載せ面１１を備えており、下面側にゴム層１２を備えている。足載せ面１１は、履物Ａ１を履くときに足を載せる面であり、畳目状に編まれた竹の皮によって覆われている。ゴム層１２は、所定の弾力を有するゴムにより形成されており、その上面側に足載せ部材１０が接着されている。この足載せ部材１０は、所定の力が加わると、図３または図４に示すように前後方向に沿って上に凹に湾曲し、加わっている力が無くなれば、自己の持つ復元力及びゴム層１２の弾力によって図２の状態に戻る。
【００１７】
接地片２１、２２、２３、２４、２５、２６は、それぞれの上面がゴム層１２の下面側に前後方向に沿って、順に連続して接着されており、それぞれの下面側に接地面２１a、２２a、２３a、２４a、２５a、２６aを備えている。接地片２１、２２、２３、２４、２５、２６は、例えば、桐材などの硬質軽量の素材で形成されており、各々の下端付近はゴムで付着されている。また、接地片２１、２２、２３、２４、２５のそれぞれの後側の側面全体が当接面４０aとして形成されている。さらに、この当接面４０aと向かい合う当接面４０ｂが、接地片２２、２３、２４、２５、２６のそれぞれの前側の側面全体に形成されている。図２の状態においては、向かい合う当接面４０a、４０bがそれぞれ当接しており、接地面２１a、２２a、２３a、２４a、２５a、２６aがいずれも地面に対して水平となっている。一方、図３または図４のように、履物Ａ１が湾曲している状態においては、当接面４０a、４０bはそれぞれ離間しており、接地面２１a、２２a、２３a、２４a、２５a、２６aが異なる向きに傾いている。接地面２１a、２２a、２３a、２４a、２５a、２６aは、上記ゴムで付着されているので、床または地面に接する際の衝撃を和らげる事が出来る。この接地面２１a、２２a、２３a、２４a、２５a、２６aを覆うゴムの表面に凹凸を形成すると、歩行の際に滑るのを防ぐことが出来るので、より快適に歩けるようになる。なお、図１〜５に示す実施形態においては、最も前方に位置する接地片２１の接地面２１aの前方側には、前方に向うほど上に退避するように、なだらかな凸状の湾曲部２１a´が形成されている。
【００１８】
鼻緒３０は、足載せ部材１０の前端付近に、上下に伸びる部分と、この部分から足載せ部材１０の後端付近の左右の端へ向けて伸びる部分とで構成されている。上下に伸びる部分を親指と人差し指とで挟み、左右の端へ向けて伸びる部分を足の甲に引っ掛けることで、履物Ａ１を足に引っ掛けることが出来る。このように、鼻緒３０に足を引っ掛けるだけで履物Ａ１を容易に履くことが可能であり、また、容易に脱ぐことができる。
【００１９】
次に、履物Ａ１の作用について説明する。
【００２０】
このような履物Ａ１を履いて平坦な地面を歩行するに際し、足の踏み出し時においては、まず、図３に示すように、最も後方に位置する接地片２６の接地面２６aが最初に地面に接地し、続いて接地面２５aが設置するというように、接地面２６a、２５a、２４a、２３a、２２a、２１aが順に接地していく。次いで、地面を後方に蹴る時においては、最も後方に位置する接地片２６の接地面２６aが最初に地面から離れ、最後に図４に示すように最も前方に位置する接地片２１の接地面２１aが地面から離れる。したがって、履物Ａ１においては、素足で歩行した場合の足裏の変形と対応した足載せ面１１の変形を達成することが出来、歩行感覚が良くなり、疲れも少ない。図に示す実施形態においては、最も前方の接地片２１の接地面２１aに、なめらかな凸状の湾曲面２１a´を形成しているので、最後に接地面２１aで地面を蹴る時、違和感なく蹴る力を最後まで地面に伝えることが出来、歩行感覚がより良くなる。
【００２１】
さらに、履物Ａ１は、図２に示す状態から、下に凹に湾曲しない構造になっているので、履物Ａ１を履いて小石などの突起物を踏んでも、足載せ面１１が変形せず、足裏に違和感を覚えにくく、快適に歩くことが出来る。また、足載せ面１１が足裏から大きく離れるように変形しないので、履物Ａ１が歩行中に脱げにくくなっている。また、足載せ面１１が下に凹に湾曲して、鼻緒３０に過大な張力が作用することも無いので、鼻緒３０が切れてしまうといったことも無い。
【００２２】
さらに、この履物Ａ１は、階段を昇り降りする場合の歩行感覚が快適となる。すなわち、図５に示すように、足先部分を階段に載せて踏み込む力を作用させる場合、足載せ面１１が略水平に保たれるので、この履物Ａ１の後方部が階段からずれ落ちる危険が無く、効果的に踏み込む力を作用させることが出来、安全に階段を昇ることが出来る。逆に、階段を降りる場合において、足の後方部のみが階段に乗っていても、足載せ面１１が水平に保たれるので、足の前方部が階段からずれ落ちると言った危険は無く、安全に階段を降りることが出来る。
【００２３】
図６に、本発明に係る履物の第２の実施形態を側面で示している。図６に示す履物Ａ２は、接地片２１、２２、２３、２４、２５、２６の形状が異なっている以外は、履物Ａ１と同様の構成を備えている。接地片２１の後側の側面２１b、接地片２２の後側の側面２２c、接地片２３の後側の側面２３c、接地片２４の後側の側面２４c、及び、接地片２５の後側の側面２５cの下半分に、当接面４０aが形成されている。この当接面４０aと向かい合う当接面４０bが、接地片２２の前側の側面２２b、接地片２３の前側の側面２３b、接地片２４の前側の側面２４b、接地片２５の前側の側面２５b、及び、接地片２６の前側の側面２６bの下半分に形成されている。これらの当接面４０a、４０bは、側面２１b、２２b、２２c、２３b、２３c、２４b、２４c、２５b、２５c、２６bに対して、前方または後方に所定の厚みだけ突出している。図６に示すように、向かい合う当接面４０a、４０bが当接するとき、接地面２１a、２２a、２３a、２４a、２５a、２６aがいずれも水平な地面に接している。したがって、履物Ａ２は、履物Ａ１と同様に、下に凹に湾曲しないようになっている。さらに、接地片２１、２２、２３、２４、２５、２６として、履物Ａ１の場合に比べて体積が小さく軽量のものを用いているので、履物Ａ２は軽量化されており、足への負担が軽減される。
【００２４】
なお、側面２１b、２２b、２２c、２３b、２３c、２４b、２４c、２５b、２５c、２６bにおける当接面４０a、４０bの位置や大きさは自在に変形可能である。例えば、当接面４０a、４０bが側面２１b、２２b、２２c、２３b、２３c、２４b、２４c、２５b、２５c、２６bの上側や中央付近に配置されていても構わない。
【００２５】
本発明に係る履物は、上述した実施形態に限定されるものではない。本発明に係る履物の各部の具体的な構成は、種々に設計変更自在である。例えば、足載せ部材１０、接地片２１、２２、２３、２４、２５、２６、鼻緒３０の素材は、市販されている履物に使用されているもの、つまり、どのようなものでも構わない。さらに、接地片の数、及び大きさも適宜変更可能である。なお、上記実施形態では、足を引っ掛けるために鼻緒３０を用いた下駄を示しているが、サンダルのようにバンド状のものや、スリッパのように袋状になっている履物であっても、本発明は実施可能である。
【図面の簡単な説明】
【００２６】
【図１】本発明に係る履物の第１の実施形態を示す斜視図
【図２】図１の履物を履いて直立した状態を示す側面図
【図３】図１の履物を履いて歩行中に踵を地面に置いた状態を示す側面図
【図４】図１の履物を履いて歩行中に爪先で地面を蹴る状態を示す側面図
【図５】図１の履物を履いて階段を歩く状態を示す側面図
【図６】本発明に係る履物の第２の実施形態を示す側面図
【図７】従来の履物を示す断面図
【符号の説明】
【００２７】
Ａ１、Ａ２                                                            履物
１０                                                                  足載せ部材
１１                                                                  足載せ面
１２                                                                  ゴム層
２１、２２、２３、２４、２５、２６                                    接地片
２１a、２２a、２３a、２４a、２５a、２６a                             接地面
２１a´                                                               湾曲面
２１b、２２b、２２c、２３b、２３c、２４b、２４c、２５b、２５c、２６b  側面
３０                                                                  鼻緒
４０a、４０b                                                          当接面
【図１】
2008188190.tif 000003
【図２】
2008188190.tif 000004
【図３】
2008188190.tif 000005
【図４】
2008188190.tif 000006
【図５】
2008188190.tif 000007
【図６】
2008188190.tif 000008
【図７】
2008188190.tif 000009